(57)【特許請求の範囲】
【請求項１】
通電容量に応じたヒューズ、各電装部品からの配線及び電源線が接続された給電板を接続固定するベースハウジング部と、
このベースハウジング部を上方から覆う上カバーと、
前記ベースハウジング部を下方から覆う下カバーと
を具備するヒューズボックスにおいて、
前記ベースハウジング部は、前記下カバーが、前記配線を前記ベースハウジング部に直接接続する際に用いられるワイヤハーネス直付型カバーである場合と、前記配線を前記ベースハウジング部にコネクタを介して接続する際に用いられるコネクタ接続型カバーである場合のいずれかの場合にも装着可能な共用部品として構成されてなる
ことを特徴とするヒューズボックス。
【請求項２】
前記ベースハウジング部は、
上部に前記ヒューズを挿入して取り付けるためのヒューズ取付孔と、下部に圧着端子又はバスバーを挿入係止するための端子挿入孔とを有することを特徴とする請求項１記載のヒューズボックス。
【請求項３】
前記ベースハウジング部は、
前記ワイヤハーネス直付型カバーと共に使用されるときは、前記各電装部品からの配線として圧着端子を前記端子挿入孔に係止し、前記給電板の給電端子と前記圧着端子とをヒューズを介して接続するものである
ことを特徴とする請求項２記載のヒューズボックス。
【請求項４】
前記ベースハウジング部は、
前記コネクタ接続型カバーと共に使用されるときは、前記各電装部品からの配線としてバスバーを前記端子挿入孔に係止し、前記給電板の給電端子と前記バスバーとをヒューズを介して接続するものである
ことを特徴とする請求項２記載のヒューズボックス。
【請求項５】
前記コネクタ接続型カバーは、下部に前記配線に取り付けられたコネクタを接続するためのコネクタ嵌合部を有し、前記バスバーは、前記コネクタ嵌合部と前記端子挿入孔とで係止固定され、その基端部が前記コネクタ嵌合部に臨んでいる
ことを特徴とする請求項４記載のヒューズボックス。
【発明の詳細な説明】
【０００１】
【発明の属する技術分野】
この発明は、カバーを有するヒューズボックスに関し、特にカバーの構造を改良し、汎用性を高めたヒューズボックスに関する。
【０００２】
【従来の技術】
従来より、例えば自動車等に使用されるヒューズボックスには、その自動車の各電装部品からのワイヤハーネスとの接続形態別に種々の種類があり、その中でも特にいわゆるワイヤを接続したコネクタを介してワイヤハーネスをヒューズボックスに接続するタイプ（コネクタ接続タイプ）と、接続端子を圧着したワイヤを直接ヒューズボックスに挿入してワイヤハーネスを接続するタイプ（ハーネス直付タイプ）とが知られている。
【０００３】
これらのヒューズボックスを図７及び図８を用いて説明する。図７は、上述したコネクタ接続タイプのヒューズボックスを示す図であり、図８は、ハーネス直付タイプのヒューズボックスを示す図である。
【０００４】
図７に示すように、コネクタ接続タイプのヒューズボックス４００は、上カバー４０１と、ベースハウジング部４０２と、コネクタ接続部４０３とからなり、例えば自動車のエンジンルーム内に取り付けられるものである。コネクタ接続部４０３の内部には、コネクタ嵌合部４０４があり、ここに車室内側からのワイヤハーネスのワイヤ５０５の先端に設けられたハーネス側コネクタ５０６を車室内側から貫通孔５０７を通して嵌合させる。コネクタ嵌合部４０４とベースハウジング部４０２とは、バスバー４０５で電気的に接続されており、各バスバー間には、絶縁板４０６がそれぞれ設けられている。このバスバー４０５と電源分配板の接続端子（図示せず。）とが、ベースハウジング部４０２内でヒューズ４０７を介して電気的に接続されることにより各電装部品とヒューズボックス４００とが電気的に接続される。
【０００５】
一方、図８（ａ）に示すように、ハーネス直付タイプのうちのコネクタ付きリードワイヤ直付タイプのヒューズボックス５００は、上カバー５０１と、ベースハウジング部５０２とからなる。ベースハウジング部５０２には、接続用コネクタ５０３が取り付けられたリードワイヤ５０４が圧着端子５０８を介して直付されている。この接続用コネクタ５０３に、車室内側のワイヤハーネスからのワイヤ５０５を接続したハーネス側コネクタ５０６を接続することにより、ベースハウジング部５０２内でヒューズ４０７を介して各電装部品の圧着端子５０８と電源分配板の接続端子とが電気的に接続されることになる。
【０００６】
また、同図（ｂ）に示すように、普通のハーネス直付タイプのヒューズボックス６００は、上カバー６０１と、ベースハウジング部６０２と、下カバー６０３とからなる。ワイヤハーネスからのワイヤ５０５の先端には、圧着端子６０４が取り付けられており、ベースハウジング部６０２に直付されている。ヒューズ６０５は、上述のように、この圧着端子６０４と電源側の接続端子とを電気的に接続する。下カバー６０３は、圧着端子６０４とベースハウジング部６０２との接続部分を保護する目的等で設けられている。
【０００７】
これらのヒューズボックス４００，５００，６００は、その形状の違いや、接続される電装部品の種類等により接続形態等が異なっているため、用途に応じてそれぞれが専用部品として製作され使用されている。
【０００８】
【発明が解決しようとする課題】
しかしながら、これらのヒューズボックス４００，５００，６００には、以下のような問題点がある。まず、前提としてそれぞれが専用設計となるため、▲１▼使用に際してある程度のまとまった数量が必要となる、▲２▼ハーネス直付けタイプとコネクタ接続タイプとを一緒に使用することができない、▲３▼コネクタ付きリードワイヤ直付タイプを使用して接続すると部品点数が増加する、▲４▼コネクタ接続タイプはバスバー間に絶縁板が必要となる、▲５▼コネクタ接続タイプは部品点数が増加する等の理由により、部品コストや組立コストが増大したり、自動組立設備が必要になったりして生産・製造のトータルコストが増加してしまうという問題がある。
【０００９】
この発明はこのような問題点に鑑みてなされたもので、いわゆるコネクタ接続タイプ及びハーネス直付タイプのいずれとも接続することが可能なヒューズボックスを提供することを目的とする。
【００１０】
【課題を解決するための手段】
この発明に係るヒューズボックスは、通電容量に応じたヒューズ、各電装部品からの配線及び電源線が接続された給電板を接続固定するベースハウジング部と、  このベースハウジング部を上方から覆う上カバーと、前記ベースハウジング部を下方から覆う下カバーとを具備するヒューズボックスにおいて、前記ベースハウジング部は、前記下カバーが、前記配線を前記ベースハウジング部に直接接続する際に用いられるワイヤハーネス直付型カバーである場合と、前記配線を前記ベースハウジング部にコネクタを介して接続する際に用いられるコネクタ接続型カバーである場合のいずれかの場合にも装着可能な共用部品として構成されてなる  ことを特徴とする。
【００１１】
この発明によれば、上下カバーでベースハウジング部を覆うタイプのヒューズボックスにおいて、上カバーとベースハウジング部とを共用部品として使用し、下カバーを各電装部品の配線との接続形態に応じてワイヤハーネス直付型カバーとコネクタ接続型カバーとに付け替えて使用することができる構造のヒューズボックスを採用するため、部品を共有とすることにより部品コストや生産コストを抑えつつ種々の配線との接続が可能となる。
【００１２】
なお、前記ベースハウジング部は、上部に前記ヒューズを挿入して取り付けるためのヒューズ取付孔と、下部に圧着端子又はバスバーを挿入係止するための端子挿入孔とを有するものであることが好ましく、このような構造にすることで、前記ワイヤハーネス直付型カバーと前記コネクタ接続型カバーとを前記ベースハウジング部を交換することなく付け替えることが可能となり、ヒューズボックスの生産コストを削減することができる。
【００１３】
また、前記ベースハウジング部は、前記ワイヤハーネス直付型カバーと共に使用されるときは、前記各電装部品からの配線として圧着端子を前記端子挿入孔に係止し、前記給電板の給電端子と前記圧着端子とをヒューズを介して接続するものであり、前記コネクタ接続型カバーと共に使用されるときは、前記各電装部品の配線としてバスバーを前記端子挿入孔に係止し、前記給電板の給電端子と前記バスバーとをヒューズを介して接続するものであることが望ましい。
【００１４】
前記コネクタ接続型カバーは、下部に前記配線に取り付けられたコネクタを接続するためのコネクタ嵌合部を有し、前記バスバーは、前記コネクタ嵌合部と前記端子挿入孔とで係止固定され、その基端部が前記コネクタ嵌合部に臨んでいることが望ましい。このような構成にすれば、バスバー間を絶縁処理しなくても絶縁性を確保することが可能となり、部品コストの増加を更に抑えることができる。
【００１５】
【発明の実施の形態】
以下、図面を参照して、この発明の実施例を説明する。
図１は、この発明の一実施例に係るワイヤハーネス直付型カバー仕様のヒューズボックスを斜め上側から見た分解斜視図である。
【００１６】
このヒューズボックス１は、絶縁性樹脂等で形成されたベースハウジング部２と、同じく絶縁性樹脂等で形成されたベースハウジング部２の上面を覆う上カバー３及び下面を覆う下カバー４とを備えて構成されている。同図に示すように、上カバー３の長手方向両側端部側面には、係合爪１０ａ，１０ｂが設けられ、短手方向両側端部側面の一部には、電源線取付部保護カバー１１ａ，１１ｂが設けられると共に、下部には雌嵌合縁部１２ａが形成されている。
【００１７】
ベースハウジング部２の長手方向両端部側面には、上カバー３の係合爪１０ａ，１０ｂと係合する係合突起２０ａ，２０ｂ（２０ｂのみ図示せず。）が備えられ、これらが相互に係合することにより、上カバー３の雌嵌合縁部１２ａとベースハウジング部２の上部に形成された雄嵌合縁部１２ｂとが嵌合し、上カバー３とベースハウジング部２とが係止される構成になっている。また、これら係合突起２０ａ，２０ｂの両側には、上カバー３の係合爪１０ａ，１０ｂを破損から保護する係合爪ガイド２２ａ〜２２ｄが設けられる。一方、ベースハウジング部２の短手方向両端部側面の下部側四隅には、下カバー４の係合爪３０ａ〜３０ｄと対応して係合する他の係合突起２３ａ〜２３ｄ（２３ｄのみ図示せず。）が設けられ、これらが相互に係合することにより、下カバー４の上部に形成された雄嵌合縁部１３ｂとベースハウジング部２の下部に形成された雌嵌合縁部１３ａとが嵌合し、下カバー４とベースハウジング部２とが係止される。なお、ベースハウジング部２の短手方向一端部側面に設けられた係合手段２４ａ，２４ｂは、このヒューズボックス１を他のジャンクションボックスの取付フレーム等に取り付けるときに、そのジャンクションボックスの取付フレーム等に設けられた係合手段等と係合して、ヒューズボックス１を係止する。
【００１８】
また、ベースハウジング部２の短手方向両端部側面の一部には、電源線を後述する電源分配板５０ａ，５０ｂを介してベースハウジング部２に取り付けるための電源線取付部２５が形成されている。この電源線取付部２５は、図３に示すように、ベースハウジング部２内の電源分配板５０ａ，５０ｂの給電端子５１に電気を供給するため、電源分配板連結部５２に設けられたボルト取付孔２７と同位置に同一径の取付孔を有するボルト螺合部２６を有している。この電源線取付部２５は、電源に接続された電源線１０１の丸型圧着端子１０２がボルト１０３により電源線取付部２５に取り付けられる際に、電源分配板連結部５２を共にベースハウジング部２に接続固定するので、例えばバッテリ等からの電気をヒューズボックス１内に供給する役割を果たしている。なお、ベースハウジング部２の電源線取付部２５の内側には、ボルト１０３を螺合するためのナット（図示せず。）が備えられている。
【００１９】
ベースハウジング部２の上部には、ヒューズ１００を挿入して取り付けるためのヒューズ挿入孔２８が形成される。ベースハウジング部２の内部には、このヒューズ１００の接続端子（図示せず。）と接続されるバスバー７０から延長形成された接続端子７１が設けられており、これらの接続端子７１及び給電端子５１がヒューズ挿入孔２８に挿入されたヒューズ１００を係止する。一方、電源線取付部２５の上部にあるヒュージブルリンク挿入孔２９には、ボルト１０３と同一径の貫通孔１０４を接続端子１０６に有するヒュージブルリンク１０５が挿入される。このヒュージブルリンク１０５は、電源線１０１の丸型圧着端子１０２と電源線取付部２５のボルト螺合部２６と電源分配連結部５２と共にベースハウジング部２に接続されるものである。
【００２０】
また、ベースハウジング部２の下部には端子挿入孔６が設けられ、所定の端子挿入位置に電源分配板５０ａ，５０ｂの給電端子５１及びワイヤハーネス１０６からの各配線１０７に圧着された圧着端子１０８又はバスバー７０の接続端子７１が挿入され、ヒューズ１００を介して接続されることで、各電装部品からの配線をヒューズボックス１に接続している。
【００２１】
下カバー４の上部には、上述したようにベースハウジング部２の雌嵌合縁部１３ａや電源線取付部２５の形状に合わせて形成された雄嵌合縁部１３ｂが設けられると共に、長手方向一側端部にはワイヤハーネス１０６や電源線１０１を挿通するための挿通孔３１が設けられている。なお、図１に示す例では、上述のようにワイヤハーネス１０６からの配線１０７をヒューズボックス１に直接接続する接続方式（ワイヤハーネス直付け方式）のため、下カバー４としてワイヤハーネス直付型カバーが採用されおり、図４は、下カバー４を採用したこのような構成のヒューズボックス１の組立後の正面図である。
【００２２】
一方、ワイヤハーネス１０６に接続用のコネクタが既設されたものを接続する場合のコネクタ接続型カバー５を使用したヒューズボックス１の例を図２を用いて説明する。なお、上カバー３とベースハウジング部２の構造は下カバー４，５の使用状況の相違にかかわらず共通なので、以下に前述したものと重複する説明は割愛する。
【００２３】
図２は、この発明の一実施例に係るコネクタ接続型カバー仕様のヒューズボックスを斜め上側から見た分解斜視図である。
【００２４】
このヒューズボックス１は、共通部品であるベースハウジング部２及び上カバー３と、下カバー５とから構成されている。この下カバー５は、配線１０７にコネクタ５０が既設されたワイヤハーネス１０６をヒューズボックス１に接続するためのコネクタ接続型カバーである。この下カバー５には、下部にコネクタ嵌合部４０が形成され、このコネクタ嵌合部４０には、図６に示すように、コネクタ嵌合孔４１が設けられている。コネクタ嵌合孔４１には、バスバー７０のコネクタ側接続端子７２を係止するための係止孔４２が設けられているため、下カバー５をベースハウジング部２に接続する際に、この係止孔４２に挿入されたコネクタ側接続端子７２と端子挿入孔６に挿入された接続端子７１とでバスバー７０を支持するので、各バスバー７０の間には従来必要であった絶縁板を設けなくても必要な絶縁性能を確保することが可能となっている。このコネクタ嵌合部４０にコネクタ１２０を嵌合させることにより、ワイヤハーネス１０６の各電装部品からの配線１０７が接続されたコネクタ電極１２１がバスバー７０のコネクタ側接続端子７２に接続される。このバスバー７０の接続端子７１の形状は、下カバー４（ワイヤハーネス直付型カバー）使用時の配線１０７に付けられた圧着端子１０８の形状と同一のものなので、ベースハウジング部２を取り替えることなく下カバー４と５とを取り替えて使用することが可能となり、図５に示すヒューズボックス１の正面図からも分かるように、各電装部品からの配線１０７をヒューズボックス１に接続することができる。
【００２５】
【発明の効果】
以上述べたように、この発明によれば、上下カバーでベースハウジング部を覆うタイプのヒューズボックスにおいて、上カバーとベースハウジング部とを共用部品として使用した上で、下カバーをワイヤハーネスとの接続形態に応じてワイヤハーネス直付型カバーとコネクタ接続型カバーとに付け替えて使用することが可能な構造のヒューズボックスを採用するため、部品コストや生産コストを抑えつつ種々のワイヤハーネスとの接続をすることができるという効果を奏する。
【図面の簡単な説明】
【図１】  この発明の一実施例に係るワイヤハーネス直付型カバー仕様のヒューズボックスを斜め上側から見た分解斜視図である。
【図２】  同コネクタ接続型カバー仕様のヒューズボックスを斜め上側から見た分解斜視図である。
【図３】  同ヒューズボックスに使用される電源分配板とブスバーを示す上方斜視図である。
【図４】  同ワイヤハーネス直付型カバー仕様のヒューズボックスの組立後の正面図である。
【図５】  同コネクタ接続型カバー仕様のヒューズボックスの組立後の正面図である。
【図６】  同コネクタ接続型カバーの下方正面図である。
【図７】  従来のコネクタ接続タイプのヒューズボックスを示す図である。
【図８】  従来のハーネス直付タイプのヒューズボックスを示す図である。
【符号の説明】
１…ヒューズボックス、２…ベースハウジング部、３…上カバー、４…下カバー（ワイヤハーネス直付型カバー）、５…下カバー（コネクタ接続型カバー）、６…端子挿入孔、１０…係合爪、１１…電源線取付部保護カバー、１２ａ，１３ａ…雌嵌合縁部、１２ｂ，１３ｂ…雄嵌合縁部、２０，２３…係合突起、２２…係合爪ガイド、２４…係合手段、２５…電源線取付部、２６…ボルト螺合部、２７…ボルト取付孔、２８…ヒューズ挿入孔、２９…ヒュージブルリンク挿入孔、４０…コネクタ嵌合部、４１…コネクタ、５０…電源分配板、５１…給電端子、５２…電源分配板連結部、７０…バスバー、７１，１０６…接続端子、１００…ヒューズ、１０１…電源線、１０２…丸型圧着端子、１０３…ボルト、１０４…貫通孔、１０５…ヒュージブルリンク、１０６…ワイヤハーネス、１０７…配線、１０８…圧着端子。
【図１】
0004278829.tif 000002
【図２】
0004278829.tif 000003
【図３】
0004278829.tif 000004
【図４】
0004278829.tif 000005
【図５】
0004278829.tif 000006
【図６】
0004278829.tif 000007
【図７】
0004278829.tif 000008
【図８】
0004278829.tif 000009